(57)【要約】【課題】  外壁開口部における外壁パネルの目地部の段差を簡単で安価な構造で矯正でき、しかも地震時の外壁パネルの層間変形を妨げず、外壁パネルに損傷などが生じたりすることがなく、さらに外観も損ねない外壁パネル用の取付金具およびその取付金具を用いた取付構造を提供する。【解決手段】  イナズマ型に曲げ加工した金属板であって、該金属板の一面のほぼ中央に釘類を通すための長孔が設けられている外壁パネル用の取付金具とする。また、開口部の外壁パネル小口面に補強部材が当接しているとともに、該パネル小口面にイナズマ型に曲げ加工した金属板であって該金属板の一面のほぼ中央に釘類を通すための長孔が設けられている外壁パネル用の取付金具を当接させ、該長孔を通して釘類で外壁パネルと取付金具を固定するとともに、前記取付金具が前記補強部材に溶接固定されている外壁パネルの取付構造とする。【選択図】図３
2005232801.tif 000002
【特許請求の範囲】
【請求項１】
イナズマ型に曲げ加工した金属板であって、該金属板の一面のほぼ中央に釘類を通すための長孔が設けられていることを特徴とする外壁パネル用の取付金具。
【請求項２】
外壁面の開口部において、開口部の外壁パネル小口面に補強部材が当接しているとともに、該パネル小口面にイナズマ型に曲げ加工した金属板であって該金属板の一面のほぼ中央に釘類を通すための長孔が設けられている外壁パネル用の取付金具を当接させ、該長孔を通して釘類で外壁パネルと取付金具を固定するとともに、前記取付金具が前記補強部材に溶接固定されていることを特徴とする外壁パネルの取付構造。
【請求項３】
前記外壁パネル用の取付金具が外壁面開口部の外壁パネル長手小口面のほぼ中央に取り付けられていることを特徴とする請求項２に記載の外壁パネルの取付構造。
【請求項４】
前記外壁パネルと補強部材がともに湾曲しており、その湾曲程度が互いに異なっていることを特徴とする請求項３又は請求項４に記載の外壁パネルの取付構造。
【発明の詳細な説明】
【技術分野】
【０００１】
本発明は、ＡＬＣパネルなど（以下、単にパネルという）外壁パネルの取付構造に関し、詳しくは特に外壁パネルまたは開口部の補強部材の反りによって生じた、外壁パネルと補強部材の段差（ズレ）を無くすことのできる外壁パネルの取付金具および取付構造に関するものである。
【背景技術】
【０００２】
従来、建築物の壁構造として、窓などの開口部や下がり壁、さらにはベランダやパラペットなどのように、外壁パネル小口面に山形の補強部材の片面のみが当接してその反対面にはパネルが存在しないように建て込まれている開口部の壁構造が多い。
【０００３】
ＡＬＣパネルなどにより構成される外壁においても、その開口部等においては、図６に示すように、一般的に開口部の縦方向の左右両側に対して建物躯体４に溶接固定された縦補強部材５（縦アングル）と、それに横方向に固定された上下の横補強部材６（横アングル）とに、側部外壁パネル１と上部外壁パネル２及び下部外壁パネル３とがそれぞれ取り付けられて構成されている。
【０００４】
ところで、一般に外壁パネルは縦方向の長さが３０００ｍｍ程有する長尺パネルであるため、外壁パネルは縦方向に湾曲している場合がある。これは開口部側部外壁パネルにおいても同様で、さらに縦補強部材においても大なり小なり湾曲している場合がある。これらを単純に組み合わせて外壁を施工すると、図６に示すように開口部において側部外壁パネルの長さ方向中央部が固定されていないために湾曲が矯正されず、側部外壁パネル１と縦補強材５との間に隙間１ａが出ることが多い。
【０００５】
一方、開口部の上部外壁パネル２および下部外壁パネル３は、短尺であるとともに上下の横補強部材６に固定されており、さらに横補強部材６は縦補強部材５に固定されているため、これら開口部上下の外壁パネル２、３は、縦補強材なりに設置されるので目立った間隙は生じない。
【０００６】
その結果、開口部における上記の側部外壁パネル１と上部外壁パネル２および下部外壁パネル３との目地部の位置において、特に特許文献等はないが図６に示すように、パネル表面に段差Ａが生じて開口部の外観を損ねるという問題がしばしば起こる。
【０００７】
そして、このような段差Ａが生じた場合は、主に施工現場において、図７および図８に示すように、側部パネル表面に座掘り１０を設けて穴を明け、フックボルト１１などで湾曲を矯正して段差Ａをなくし、そのフックボルト１１などを縦補強部材５に固定し、その後座掘り１０に補修材を充填して修正していた。
【発明の開示】
【発明が解決しようとする課題】
【０００８】
しかし、外壁パネル表面に座掘り１０を行う方法を用いると、外壁パネル取付けに乾式工法であるロッキング工法が採用されている場合、地震による層間変形時にフックボルト１１が外壁パネルの動きを妨げ、外壁パネルに損傷が生じ易いことや、また座掘り補修跡の色調が微妙に変化するので外観上好ましくないことなどの問題があった。
【０００９】
そこで、本発明の主目的は、上記課題を解決し開口部などにおける外壁パネルの目地部の段差を簡単で安価な構造で矯正でき、しかも地震時のパネルの層間変形を妨げないため外壁パネルに損傷などが生じたりすることがなく、さらに外観も損ねない外壁パネル用の取付金具およびその取付金具を用いた取付構造を提供することにある。
【課題を解決するための手段】
【００１０】
本発明は上記のような課題を解決するためになされたものであって、本発明の取付金具はイナズマ型に曲げ加工した金属板で、該金属板の一面のほぼ中央に釘類を通すための長孔が設けられている外壁パネル用の取付金具を採用した。
また、本発明の取付構造は、外壁面の開口部において、開口部の外壁パネル小口面に補強部材が当接しているとともに、該パネル小口面にイナズマ型に曲げ加工した金属板であって該金属板の一面のほぼ中央に釘類を通すための長孔が設けられている外壁パネル用の取付金具を当接させ、該長孔を通して釘類で外壁パネルと取付金具を固定するとともに、前記取付金具が前記補強部材に溶接固定されている外壁パネルの取付構造とした。
このような取付金具を使用して上記の取付構造とすれば、外壁パネルの外観を損なうことなく外壁パネルや補強部材の湾曲を強制することが可能となる。
【００１１】
本発明の外壁パネルの取付構造は、前記外壁パネル用の取付金具が外壁面開口部の外壁パネル長手小口面のほぼ中央に取り付けられていることが好ましい。
外壁パネルは通常その長手方向の湾曲が最も大きく、従って長手方向のほぼ中央を矯正するのがもっとも効果的である。
また、前記外壁パネルと補強部材がともに湾曲しており、その湾曲程度が互いに異なっている場合にも効果的に適用することができる。
【発明の効果】
【００１２】
本発明の取付構造は、外壁パネルの小口面に補強部材の一面が当接しているとともに、前記外壁パネルの小口面に本発明の固定金具の一面に設けられた長孔を通して釘類を打込むことにより固定され、もう一面が前記補強部材の開口側面に溶接固定されているので、側部外壁パネルが反っていても、反りを強制的に矯正するため、その段差が解消されて開口部の外観を損なうことがなくなる。
また、イナズマ型の取付金具は側部外壁パネルの小口面に位置されるため、外壁パネル表面を座掘りする必要が無く、従って補修する必要も無いとともに、外壁パネル表面が補修材により外観が損なわれることもない。さらに固定金具の釘類を打込む部分は長孔となっており、地震による層間変形時に打込まれた釘類が外壁パネルの動きを拘束しない構造となっている。
【００１３】
以上詳細に説明したように、本発明は金具の構造が簡単なので安価に製造することができ、更に外壁パネルの加工を必要としないことなど施工も容易であり、かつロッキング工法の性能を阻害せずに開口部の外壁パネル間の目地部の段差（ズレ）を確実に矯正することが可能な構造である。
【発明を実施するための最良の形態】
【００１４】
以下本発明を図に基づいて具体的に説明する。
図１は本発明の取付用金具の斜視図である。図１の固定金具７はＺ字状にプレス加工された鋼帯からなり、その一面７ｂには長孔７ａが穿孔されており、もう一面７ｃとの段差（ｄ）は、開口部の縦補強材のアングルの厚さと同じになっている。
本発明に係る固定金具７は、曲げ応力などをほとんど受けないため、小型でしかも素材の厚みも通常の固定金具より薄くてよい。
【００１５】
図２は、図１に示す本発明の取付用金具７をパネル開口部に取り付ける方法を示した斜視図であり、図３は取付が終わった後の状態を示す斜視図である。また、図４には図３の線Ａ−Ａ´に沿った断面を示す図である。
図２から図４の示すように側部外壁パネル１の小口面１ａには、アングル鋼材からなる縦補強部材５が当接されており、さらに小口面１ａと縦補強部材５に当接して固定金具７が取り付けられている。固定金具７の段差は縦補強部材５の厚さと同じなので、固定金具７は小口面１ａ及び縦補強部材５の双方に密接して取り付けられることになる。固定金具７の長孔７ｃは孔の方向が小口面１ａの長手方向となるようにしてある。
そして固定金具７の一面７ｃの周囲は溶接して縦補強部材５に固定され、固定金具７の一面７ａに設けられた長孔７ａを通して、例えばアルミカットネイルなどの釘類８を打込むことにより、側部外壁パネル１の小口面１ａに固定されている。
【００１６】
ロッキング構造の外壁は、外壁パネルが地震時の揺れに追従する構造であるため、側部外部パネル１が揺れても、固定金具７にはパネル長手方向に沿った長孔７ａが設けられているため、打込まれたアルミカットネイルなどの釘類８が長孔７ａの範囲でスライドできるため、外壁パネルの動きが金具によって拘束されることはなく、側部外壁パネル１に損傷を与えることが防止される。
【００１７】
また、上記のように固定金具７の一面７ａを釘類８により固定し、もう一面７ｃを縦補強部材５に溶接固定とする、固定金具の形成が容易であるとともに、溶接作業も容易で、さらに外壁パネルに加工を施すことなくパネル段差の矯正が確実にでき、また耐久性も優れるようになる。
【００１８】
また図５は取付用金具７を使用した開口部のパネルの取付構造全体を説明するものである。
外壁パネル開口部の側部外壁パネル１は、建物躯体４に溶接固定された縦アングルから成る縦補強部材５に隣接し、外壁パネル小口面１ａに当接するよう設置されている。また、上部外壁パネル２と下部外壁パネル３は、縦補強部材５に対して横方向に溶接固定された横アングルからなる横補強部材６によって固定されて開口部が形成されている。
なお、本実発明の外壁パネルの取付構造は、目地部に目地鉄筋やモルタルなどが挿入されていない、いわゆる乾式工法のロッキング構造である。すなわち、各パネルはその上下位置における幅方向の中央部において、取付金具によって建物躯体４や横補強部材６に取り付けられて、地震時の揺れに対して壁の各パネルがその揺れに追従して、各パネルの破壊が起こりにくい構造となっている。
【００１９】
次に、本発明のパネル取付構造の施工手順について述べる。
先ず建物躯体４に側部外壁パネル１を取付ける。次に建物躯体４に縦補強部材５を側部外壁パネル１の小口面１ａに当接させて溶接固定する。ここで、側部外壁パネル１などの反りによって縦補強部材５との間に生じた隙間をＬ型クランプなどによって矯正する。次に縦補強部材１に固定金具７の一面７ｃをあてがい溶接固定する。最後に固定金具７のもう一面７ｂの長孔７ａを通し、アルミカットネイルなどの釘類８を外壁パネル１長辺の小口面１ａに打込む。
なお、上記手順は、一例であってこの手順に限定されず、状況の変化に応じて手順を変更しても良い。
【図面の簡単な説明】
【００２０】
【図１】本発明の固定金具の斜視図である。
【図２】本発明の固定金具の取り付け方法を示す図である。
【図３】本発明の固定金具の取り付け方法を示す他の図である。
【図４】図３の線Ａ−Ａ´に沿った断面図である。
【図５】本発明の取付構造を示す斜視図である。
【図６】従来の開口部を示す斜視図である。
【図７】図６の一部を拡大して示す斜視図である。
【図８】図７の線Ｂ−Ｂ´に沿った断面図である。
【符号の説明】
【００２１】
１        側部外壁パネル
１ａ      小口面
２        上部外壁パネル
３        下部外壁パネル
４        建物躯体
５        縦補強部材
６        横補強部材
７        固定金具
７ａ      長孔
８        釘類
１０      座掘り
１１      フックボルト
Ａ        目地部の段差（ズレ）
【図１】
2005232801.tif 000003
【図２】
2005232801.tif 000004
【図３】
2005232801.tif 000005
【図４】
2005232801.tif 000006
【図５】
2005232801.tif 000007
【図６】
2005232801.tif 000008
【図７】
2005232801.tif 000009
【図８】
2005232801.tif 000010